(57)【要約】【課題】貯蔵室における冷気の循環不良を防止し得る冷却貯蔵庫を提供する。【解決手段】  冷却貯蔵庫は、冷却器からの冷気を循環させて内部が冷却される貯蔵室１４と、前記貯蔵室１４の内壁に水平方向に離間して縦に配設された複数の棚柱４２と、前記棚柱４２に着脱可能に取り付けられる棚受金５０と、前記棚受金５０により前記貯蔵室１４に水平に支持される棚網６０とを備える。そして、棚網６０に載置した被貯蔵物が後方へ移動するのを規制するガード部材７０を、棚受金５０に引き掛けて前記棚柱４２に取り付けて、後内壁３０ｂと被貯蔵物との間に冷気通路を確保するようにした。【選択図】図２
2015206563.tif 000002
【特許請求の範囲】
【請求項１】
冷却器(32)からの冷気を循環させて内部が冷却される貯蔵室(14)と、前記貯蔵室(14)の内壁(30)に水平方向に離間して縦に配設された複数の棚柱(42)と、前記棚柱(42)に着脱可能に取り付けられる受部材(50)と、前記受部材(50)により前記貯蔵室(14)に水平に支持される棚網(60)とを備える冷却貯蔵庫において、
前記棚網(60)に載置した被貯蔵物(46)が前記貯蔵室(40)の内壁(30)の側へ移動するのを規制するガード部材(70,80,90,100)を、前記棚柱(42)と平行になるよう前記受部材(50)により該棚柱(42)に取り付けて、前記内壁(30)と被貯蔵物(46)との間に冷気通路を確保するようにした
ことを特徴とする冷却貯蔵庫。
【請求項２】
前記ガード部材(70)の上部は、前記棚柱(42)に取り付けた前記受部材(50)に引き掛けることで該棚柱(42)に取り付けられ、該ガード部材(70)の下部は、前記棚柱(42)に取り付けた別の受部材(50)により固定される請求項１記載の冷却貯蔵庫。
【請求項３】
前記ガード部材(80)の上部は、前記棚柱(42)に取り付けた前記受部材(50)に引き掛けることで該棚柱(42)に取り付けられ、該ガード部材(80)の下部は、その下部に形成したフック部(86)が前記棚網(60)に設けたストッパ(66)に固定される請求項１記載の冷却貯蔵庫。
【請求項４】
前記棚柱(42)に取り付けた前記受部材(50)に前記ガード部材(90)の上部を引き掛けて懸吊した際に、該ガード部材(70)の下部が前記貯蔵室(14)の内壁(30)に対応する部位に磁石付きホルダ(96)が設けられ、
前記ガード部材(90)の下部は、前記ホルダ(96)の磁力により前記内壁(30)に磁気吸着される請求項１記載の冷却貯蔵庫。
【請求項５】
前記ガード部材(100)の水平方向の両側には、前記棚柱(42)と対応する位置に取付部(104a)が設けられ、前記取付部(104ａ)に開設した取付孔(104b)を介して前記受部材(50)を前記棚柱(42)に取り付けることで、該ガード部材(100)が前記貯蔵室(14)の内壁(30)との間に間隙(40)を有して取り付けられる請求項１記載の冷却貯蔵庫。
【発明の詳細な説明】
【技術分野】
【０００１】
冷却室からの冷気を循環させて内部が冷却される貯蔵室と、この貯蔵室の内壁に水平方向に離間して縦に配設された複数の棚柱と、前記棚柱に着脱可能に取り付けられる受部材と、前記受部材により前記貯蔵室に水平に支持される棚網とを備える冷却貯蔵庫に関して、棚網に載置した被貯蔵物により、冷気循環が妨げられないようにした提案である。
【背景技術】
【０００２】
業務用の大型冷蔵庫や冷凍ショーケース等の冷却貯蔵庫は、断熱箱体の内部に貯蔵室が画成されている。貯蔵室の上部には、冷却器および室内ファンが配設され、冷却器で熱交換した冷気を、室内ファンで貯蔵室に強制循環することで、貯蔵室を所要温度に冷却している。一般に、室内ファンによる冷気の循環は、貯蔵室の後内壁に沿って下降し、貯蔵室の前内壁(扉)に沿って上昇する経路で行われる。
【０００３】
また、一般に冷却貯蔵庫では、図５および図６に示すように、貯蔵室１４の内壁３０に、上下方向に延在する棚柱４２が複数配設され、この棚柱４２に所定間隔で複数の係止孔４４が形成されている。この上下に隣接する係止孔４４に、平板を屈曲させて略Ｖ字状とした棚受金５０の両先端部を撓ませながら挿入することで、棚柱４２に棚受金５０が取り付けられる。そして、同一平面に取り付けた複数の棚受金５０に、棚網６０を載置することで、貯蔵室１４に棚網６０が水平に支持されるようになっている。この棚網６０に載置する被貯蔵物を、後内壁３０ｄに当接した状態で貯蔵室１４に収容すると、被貯蔵物により冷気の後内壁３０ｂに沿った通路が塞がれて、室内ファンによる冷気循環が妨げられてしまう。このため、棚網６０の後部に上方へ突出するストッパ６６を設け、このストッパ６６により被貯蔵物の後方への移動を規制して、被貯蔵物と貯蔵室１４の後内壁３０ｂとの間に冷気通路を確保するようになっている(例えば、特許文献１)。
【先行技術文献】
【特許文献】
【０００４】
【特許文献１】特開２００６−２２０３４１号公報
【発明の概要】
【発明が解決しようとする課題】
【０００５】
冷却貯蔵庫では、付属の取扱説明書や注意ラベルにおいて、棚網のストッパより後方に被貯蔵物を収容しないよう注意を喚起している。しかし、ストッパを乗り越えて被貯蔵物が収容されることがあり、このときは被貯蔵物が貯蔵室の内壁に当接することにより冷気通路が塞がれ、冷気の循環不良を来してしまうことがある。
【０００６】
すなわち本願発明は、従来の技術に係る前記問題に鑑み、これらを好適に解決するべく提案されたものであって、棚網の被貯蔵物の載置状態の如何に拘らず冷気循環の不良を防止し得る冷却貯蔵庫を提供することを目的とする。
【課題を解決するための手段】
【０００７】
前記課題を克服し、所期の目的を達成するため、本願の請求項１に係る発明の冷却貯蔵庫は、
冷却器からの冷気を循環させて内部が冷却される貯蔵室と、前記貯蔵室の内壁に水平方向に離間して縦に配設された複数の棚柱と、前記棚柱に着脱可能に取り付けられる受部材と、前記受部材により前記貯蔵室に水平に支持される棚網とを備える冷却貯蔵庫において、
前記棚網に載置した被貯蔵物が前記貯蔵室の内壁の側へ移動するのを規制するガード部材を、前記棚柱と平行になるよう前記受部材により該棚柱に取り付けて、前記内壁と被貯蔵物との間に冷気通路を確保するようにしたことを要旨とする。
【０００８】
請求項１に係る発明によれば、ガード部材を、棚網の支持に用いる棚柱および受部材を利用して取り付けることができる。そして、棚柱に取り付ける受部材の位置を調節して、ガード部材の取り付け位置を変更できる。このため、使用態様に応じたガード部材の取り付けが可能となり、貯蔵室の冷気の循環不良を効果的に抑制できる。また、ガード部材の取り付けに新たな取付手段を設ける必要がなく、開発費用や製造コストを抑えることができる。更に、既存の冷却貯蔵庫に対しても、棚柱および受部材を用いてガード部材を簡単に取り付けることができる。また、ガード部材の取り外しが簡単なので、貯蔵室を清掃し易い。
【０００９】
請求項２に係る発明では、前記ガード部材の上部は、前記棚柱に取り付けた前記受部材に引き掛けることで該棚柱に取り付けられ、該ガード部材の下部は、前記棚柱に取り付けた別の受部材により固定されることを要旨とする。
請求項２に係る発明によれば、ガード部材の上部を受部材に引き掛けることで、ガード部材を簡単に取り付けることができる。更に、ガード部材の下部を受部材で固定する構成としたので、ガード部材のがたつきを抑え、振動や衝撃によりガード部材が外れるのを防止し得る。また、ガード部材のがたつきを抑えるために別の固定手段を用いる必要がない。
【００１０】
請求項３に係る発明では、前記ガード部材の上部は、前記棚柱に取り付けた前記受部材に引き掛けることで該棚柱に取り付けられ、該ガード部材の下部は、その下部に形成したフック部が前記棚網に設けたストッパに固定されることを要旨とする。
請求項３に係る発明によれば、ガード部材の上部を受部材に引き掛けることで、ガード部材を簡単に取り付けることができる。また、ガード部材の下部に形成したフック部を棚網のストッパに固定することで、ガード部材のがたつきを抑え、振動や衝撃によりガード部材が外れるのを防止できる。更に、フック部によりガード部材の下部を固定するので、簡単な構成でガード部材のがたつきを抑えることができる。また、ガード部材の下部にフック部を形成し、該フック部を棚網のストッパに固定する構成としたので、ストッパおよびガード部材により、被貯蔵物の内壁側への移動を効果的に規制し、貯蔵室の冷気循環不良を有効に抑えることができる。
【００１１】
請求項４に係る発明では、前記棚柱に取り付けた前記受部材に前記ガード部材の上部を引き掛けて懸吊した際に、該ガード部材の下部が前記貯蔵室の内壁に対応する部位に磁石付きホルダが設けられ、
前記ガード部材の下部は、前記ホルダの磁力により前記内壁に磁気吸着されることを要旨とする。
請求４に係る発明によれば、ガード部材の上部を受部材に引き掛けて、ガード部材を簡単に取り付けることができる。また、ガード部材に設けたホルダの磁力により、ガード部材の下部が内壁に磁気吸着されるので、ホルダを内壁に当接させるだけでガード部材の下部を簡単に固定でき、使い勝手がよい。
【００１２】
請求項５に係る発明では、前記ガード部材の水平方向の両側には、前記棚柱と対応する位置に取付部が設けられ、前記取付部に開設した取付孔を介して前記受部材を前記棚柱に取り付けることで、該ガード部材が前記貯蔵室の内壁との間に間隙を有して取り付けられることを要旨とする。
請求項５に係る発明によれば、取付孔を介して受部材を棚柱に取り付けることで、ガード部材を貯蔵室に対して簡単に取り付けることができる。また、ガード部材の取り付けに新たな取付手段を設ける必要がなく、開発費用や製造コストを抑えることができる。
【発明の効果】
【００１３】
本発明に係る冷却貯蔵庫によれば、簡単に取り付け可能なガード部材により、貯蔵室の冷気循環不良を効果的に抑えることができる。
【図面の簡単な説明】
【００１４】
【図１】実施例１に係る冷却貯蔵庫の縦断側面図である。
【図２】(ａ)は図１の冷却貯蔵庫における貯蔵室の斜視図、(ｂ)は(ａ)における円Ｘの拡大図である。
【図３】図１のＩＩＩ−ＩＩＩ線断面図である。
【図４】図３のＩＶ−ＩＶ線断面図である。
【図５】棚受金を棚柱に取り付ける工程を説明する縦断側面図である。
【図６】棚柱に装着した棚受金に棚網を載置する状態を示す斜視図である。
【図７】(ａ)は実施例２に係る冷却貯蔵庫における貯蔵室の斜視図、(ｂ)は(ａ)における円Ｙの拡大図である。
【図８】(ａ)は実施例３に係る冷却貯蔵庫における貯蔵室の斜視図、(ｂ)は(ａ)における円Ｚの拡大図である。
【図９】実施例４に係る冷却貯蔵庫における貯蔵室の斜視図である。
【発明を実施するための形態】
【００１５】
次に、本発明に係る冷却貯蔵庫について、好適な実施例を挙げて、添付図面を参照しながら以下に説明する。以下の説明において、「前」、「後」、「左」、「右」、「上」、「下」とは、断熱扉が設けられた側から見た場合を基準とする。
【実施例】
【００１６】
(実施例１)
図１〜図６を参照して、実施例１について説明する。図１に示すように、実施例１の冷却貯蔵庫１０は、外箱１２および冷蔵室や冷凍室の如き貯蔵室１４を画成する内箱１６の間に断熱材１８を充填して構成された断熱箱体２０と、この断熱箱体２０の上部に設けられ、フレームにパネル２２を取り付けて構成され内部に機械室２６が画成されたキャビネット２４とを備えている。断熱箱体２０には、前記貯蔵室１４に設けた開口部１４ａを開閉する断熱扉２８が設けられている。この断熱扉２８は、開口部１４ａを閉じた状態では、内箱１６とともに貯蔵室１４の内壁３０を構成する。また、前記機械室２６には、冷凍装置を構成する圧縮機ＣＭ、凝縮器ＣＤ、この凝縮器ＣＤを冷却する冷却ファンＦＭ等の機器が配設されている。
【００１７】
前記貯蔵室１４の内部上方には、冷凍機構を構成する冷却器３２が配設される冷却室３４が設けられている。この冷却室３４には、冷却器３２により冷却した空気を循環させる室内ファン３６が、冷却器３２に隣接して配設される。冷却室３４は、貯蔵室１４の上部に配設されたダクト３８に画成される。ダクト３８には、貯蔵室１４の前側と連通する流入口３８ａと、貯蔵室１４の後側に連通する流出口３８ｂとが形成される。そして、室内ファン３６を回転すると、貯蔵室１４内の前側の空気が流入口３８ａから冷却器３２に吸い込まれ、該冷却器３２で熱交換された冷気が、流出口３８ｂから貯蔵室１４の後側へ吹き出される。このように、図１に矢印で示すように、貯蔵室１４では、室内ファン３６により冷却室３４から送られる冷気は、貯蔵室１４の後内壁３０ｂに沿って貯蔵室１４の後側を下降し、貯蔵室１４の底部から貯蔵室１４の前内壁３０ａ(断熱扉２８)に沿って貯蔵室１４の前側を上昇して冷却室３４に帰還する循環を繰り返すようになっている。このように貯蔵室１４の前側および後側は、内壁３０に沿って冷気の通過する通路となっており、貯蔵室１４の内部は、冷却器３２からの冷気を循環させて冷却されるようになっている。
【００１８】
前記貯蔵室１４の内壁３０には、水平方向に離間して縦に配設された複数の棚柱４２が配設され、この棚柱４２に位置調節および着脱可能に棚受金５０(受部材)が取り付けられている。また、貯蔵室１４には、棚受金５０により水平に支持される棚網６０が設けられ、棚網６０に載置される被貯蔵物４６を該貯蔵室１４に収容して冷却するようになっている。また、貯蔵室１４には、被貯蔵物４６が貯蔵室１４の後内壁３０ｂ(内壁)側へ移動するのを規制するガード部材７０が、棚受金５０により棚柱４２に該棚柱４２に沿って取り付けられている。そして、貯蔵室１４は、このガード部材７０によって、後内壁３０ｂと被貯蔵物４６との間に冷気通路が確保されるようになっている。
【００１９】
前記棚柱４２は、前後および左右に離間して、貯蔵室１４の内壁３０に沿って複数配設されている。棚柱４２は、平断面コ字状で上下方向に延在し、上下に離間して複数の係止孔４４が開設されている。貯蔵室１４には、後側に２本の棚柱４２が配置され、前側に２本の棚柱４２が配置されている。後側の２本の棚柱４２は、左右に離間して貯蔵室１４の後内壁３０ｂに夫々ビス等で固定され、前側の２本の棚柱４２は、貯蔵室１４の左右の内壁３０ｃ,３０ｄに夫々ビス等で固定されている。各棚柱４２における係止孔４４は等間隔で設けられ、各棚柱４２間の係止孔４４は、夫々高さが揃うようになっている。また、後側の２本の棚柱４２の係止孔４４は、前後に開口し、前側の２本の棚柱４２の係止孔４４は、左右に開口する。
【００２０】
前記棚受金５０は、前記棚柱４２に取り付けることで貯蔵室１４に設けられる。図４および図５に示すように、棚受金５０は、棚柱４２に装着した際に内壁３０側から水平に延在する水平部５２と、該水平部５２の延出端部に接続され、水平部５２に対して鋭角に屈曲した傾斜部５４とから略Ｖ字形に形成される。水平部５２および傾斜部５４には、棚柱４２に取り付けた際に内壁３０側となる端部の夫々に、棚柱４２の係止孔４４に挿入可能な差し込み片５２ａ,５４ａが形成されている。そして、棚受金５０は、水平部５２および傾斜部５４を互いに近づくように撓ませて、両差し込み片５２ａ,５４ａを、棚柱４２の上下に隣接する２つの係止孔４４に挿入し(図５(ａ)および(ｂ)参照)、差し込み片５２ａ,５４ａが係止孔４４の縁部に係合することで、棚柱４２に取り付けられる(図５(ｃ)参照)。なお、棚柱４２からの棚受金５０の取り外しは、水平部５２および傾斜部５４を互いに近づくように撓ませて、係止孔４４の縁部に対する差し込み片５２ａ,５４ａの係合を解除し、差し込み片５２ａ,５４ａを係止孔４４から引き抜くことでなされる。このように、棚受金５０は、水平部５２および傾斜部５４を指先で摘まんで撓ませることで、ネジや工具等を使用することなく、簡単に着脱可能となっている。そして、棚受金５０は、取り付ける係止孔４４を変えることで、取り付け位置を変更可能となっている。また、水平部５２には、上方に向かって突出する支持片５２ｂが形成されている。棚受金５０は、金属製の平板材を折り曲げて形成される。
【００２１】
図１〜図４および図６に示すように、貯蔵室１４は、複数の棚網６０が多段に取り付け可能に構成されている。棚網６０は、同一平面にある複数(実施例１では４つ)の棚受金５０に載置することで、貯蔵室１４に水平に支持される。棚網６０は、被貯蔵物４６を載せるための簀子状の棚であって、貯蔵室１４の大きさに合わせて形成される。棚網６０は、矩形状の枠材６２に格子状に組んだ線材６４を架け渡して構成される。棚網６０は、枠材６２が棚受金５０の水平部５２に載置され、水平部５２に設けた支持片５２ｂと棚柱４２に枠材６２が挟まれることで、棚網６０の水平方向の位置決めがなされる。また、棚網６０の後部には、上方に突出して、該棚網６０に載置した被貯蔵物４６の内壁３０側(貯蔵室１４の後内壁３０ｂ側)への移動を規制するストッパ６６が形成されている。ストッパ６６は、前後および下方に開放するコ字状に形成され、左右の枠材６２ｃ,６２ｄに固定され、棚網６０の枠材６２および線材６４よりも上方(棚網６０における被貯蔵物４６の載置面よりも上方)まで突出する。また、ストッパ６６は、後の枠材６２ｂよりも前方に設けられ、後の枠材６２ｂに沿って平行に延在し、ストッパ６６と貯蔵室１４の後内壁３０ｂとの間に所要の間隙４１があくようになっている。また、ストッパ６６は、棚網６０の左右方向の全長に亘って延在する。このように、貯蔵室１４における棚網６０の設置部位には、ストッパ６６によって後内壁３０ｂとの間に冷気通路が確保される。棚網６０は、ステンレス等の金属材を合成樹脂でコーティングした棒材で形成されている。
【００２２】
図１〜図４に示すように、貯蔵室１４には、棚網６０に載置される被貯蔵物４６の移動を規制し、貯蔵室１４の後内壁３０ｂとの間に冷気通路を確保するガード部材７０が設けられている。ガード部材７０は、棚網６０とは別体に形成され、棚受金５０を用いて、貯蔵室１４における棚網６０の上方位置に取り付けられる。ガード部材７０は、上下方向に所要の寸法で、棚柱４２および貯蔵室１４の後内壁３０ｂに沿って延在する。このように、ガード部材７０は、棚柱４２と平行になるよう設けられ、棚網６０に対しては垂直となるよう設けられている。また、ガード部材７０の左右の寸法は、後内壁３０ｂに左右に離間して配設された２本の棚柱４２の夫々と、前後に重なるよう設定される。なお、実施例１のガード部材７０の左右の寸法は、棚網６０と等しくなっている。ガード部材７０は、合成樹脂でコーティングされた金属製の棒材で形成され、ガード部材７０によって貯蔵室１４の空気の流通が遮断されないようになっている。
【００２３】
前記ガード部材７０は、後内壁３０ｂとの間に間隙４０を空けて該後内壁３０ｂに対向するよう延在して被貯蔵物４６の後方への移動を規制する規制部７２と、この規制部７２を支持すると共に棚柱４２への取り付けに用いられる枠部７４とから構成される。前記規制部７２は、左右方向に延在する棒材を、上下に所要寸法離間して複数(実施例１では４本)配置して構成される。規制部７２は、棚網６０に設けたストッパ６６と、前後方向の位置が大体揃うようになっており、貯蔵室１４の後内壁３０ｂとの間に所要の間隙４０を空けて、該後内壁３０ｂ沿って延在する。規制部７２は、棚網６０の左右の幅に亘って形成される。このように、貯蔵室１４におけるガード部材７０の設置部位には、後内壁３０ｂとの間に間隙４０を有する規制部７２によって、後内壁３０ｂに沿って冷気の通路が確保されるようになっている。
【００２４】
前記枠部７４は、棒材を折り曲げて構成され、前端に固定された規制部７２を、後内壁３０ｂから所要の間隙４０を空けて支持すると共に、棚受金５０に係止させることで貯蔵室１４に取り付けられる。枠部７４は、左右および後方に開口する略コ字に形成されて左右に離間する左右の側枠体７４ａ,７４ｂと、左右方向に延在して左右の側枠体７４ａ,７４ｂの後上端部を接続する上枠体７４ｃと、左の側枠体７４ａの後下端部から右方向に延在する左下枠体７４ｄと、右の側枠体７４ｂの後下端部から左方向に延在する右下枠体７４ｅとから構成される。そして、左右の側枠体７４ａ,７４ｂの前端に、規制部７２が架け渡されて固定されている。また、左側枠体７４ｄは、後内壁３０ｂに配設された左側の棚柱４２の前方まで延在し、右側枠体７４ｅは、後内壁３０ｂに配設された右側の棚柱の前方まで延在する。
【００２５】
ガード部材７０は、ガード部材７０の上部を棚柱４２に取り付けた棚受金５０に引き掛けることで棚柱４２に取り付けられる。また、ガード部材７０は、前記棚受金５０の下方に取り付けた別の棚受金５０により下部を固定されている。このように、ガード部材７０は、上部を上方の棚受金５０に載置することで、貯蔵室１４に取り付けられ、下方の棚受金５０により下部を固定されている。このように、ガード部材７０では、棚柱４２への取り付けおよび下部の固定の夫々に棚受金５０を用いている。
【００２６】
次に、ガード部材７０の貯蔵室１４への取り付けについて、詳しく説明する。先ず、貯蔵室１４の後側に左右に離間して配設された２本の棚柱４２に対して、高さを揃えた所定の位置に棚受金５０を夫々取り付ける。この棚受金５０の水平部５２に、ガード部材７０の上部をなす上枠体７４ｃを引き掛けて載置する。この際、ガード部材７０は、上枠体７４ｃを支持する水平部５２により上下方向の位置決めがなされ、上枠体７４ｃを前後に挟む、水平部５２に設けた支持片５２ｂと棚柱４２とにより前後方向の位置規制がなされる。なお、ガード部材７０は、上枠体７４ｃを棚受金５０に引き掛けて懸吊した際に、上枠体７４ｃより前方に重心が位置するので、自重により上枠体７４ｃを中心に後方(図４における時計回り)へ回転する力が作用するが、このガード部材７０の回転は、左右の下枠体７４ｄ,７４ｅが棚柱４２に当接することで規制される。このように、ガード部材７０は、上枠体７４ｃを棚受金５０の水平部５２に引き掛けて棚柱４２に取り付けることで、貯蔵室１４へ取り付けられる。
【００２７】
次に、ガード部材７０の下部の固定について説明する。ガード部材７０の下部をなす左右の下枠体７４ｄ,７４ｅに対して、前方から棚受金５０を棚柱４２に取り付ける。これにより、ガード部材７０の左右の下枠体７４ｄ,７４ｅは、棚受金５０および棚柱４２によって囲まれた空間Ｓに挿入されて保持された状態となる。ガード部材７０は、左右の下枠体７４ｄ,７４ｅを前後に挟む棚受金５０の傾斜部５４および棚柱４２により前後方向の位置規制がなされ、左右の下枠体７４ｄ,７４ｅを上下に挟む棚受金５０の水平部５２および傾斜部５４により上下方向の位置規制がなされる。このように、ガード部材７０は、棚柱４２に対して棚受金５０を、棚柱４２との間で左右の下枠体７４ｄ,７４ｅを挟むように取り付けることで、下部が固定される。なお、ガード部材７０は、下部を固定しない状態で貯蔵室１４に取り付けて使用してもよい。
【００２８】
(実施例１の作用)
実施例１の冷却貯蔵庫１０によれば、冷気通路を確保するガード部材７０の取り付けに、棚網６０を貯蔵室１４に支持する棚柱４２および棚受金５０を利用することで、ガード部材７０を貯蔵室１４に高さ位置を変更可能に取り付けることができる。従って、被貯蔵物４６の形状などの使用態様に合わせてガード部材７０の取り付け位置を設定できるので、被貯蔵物４６の後方への移動を、ガード部材７０によって適切に規制できる。このため、被貯蔵物４６が冷気通路を塞ぐのを防止して、冷気循環不良を効果的に抑制できる。また、工具等を用いることなく棚柱４２に対して棚受金５０を簡単に着脱できるので、ガード部材７０の取り付け高さも簡単に変更できる。また、新たな取付手段を設けることなくガード部材７０を貯蔵室１４に取り付けることができるので、開発費用や製造費用を抑えることができる。更に、既存の冷却貯蔵庫に対しても、棚網６０を支持する棚柱４２および棚受金５０を用いて、ガード部材７０を簡単に取り付けることができ、ガード部材７０の追加が容易である。また、ガード部材７０を棚網６０とは別体としたことで、棚網６０を取り付けた状態で、ガード部材７０を取り外して貯蔵室１４を清掃できる。
【００２９】
また、実施例１に係る冷却貯蔵庫１０によれば、棚受金５０に引き掛けるだけでガード部材７０を簡単に取り付けることができる。より具体的には、ガード部材７０の上枠体７４ｂを棚受金５０の水平部５２に引き掛けて載置するだけで、ガード部材７０を貯蔵室１４に簡単に取り付けることができる。更に、ガード部材７０の左右の下枠体７４ｄ,７４ｅを固定する構成としたので、ガード部材のがたつきを抑え、振動や衝撃によりガード部材が外れるのを防止し得る。また、ガード部材７０の左右の下枠体７４ｄ,７４ｅを棚受金５０で固定するので、新たな固定手段を設ける必要がないので、開発費用や製造費用等を抑えることができる。更に、棚受金５０を棚柱４２に対して、棚柱４２との間で左右の下枠体７４ｄ,７４ｅを挟むように取り付けるだけで、左右の下枠体７４ｄ,７４ｅが固定されるので、ガード部材７０の下部の固定が簡単である。
【００３０】
(実施例２)
次に、図７を参照して、実施例２について説明する。この実施例２では、ガード部材８０の下部の構成、およびガード部材８０の下部を固定する構成が実施例１と異なっている。なお、実施例２では、実施例１と相違する部分を中心に説明を行い、実施例１と同じ部分については、同一の符号を付して詳細な説明は省略する。
【００３１】
実施例２のガード部材８０は、下部にフック部８６が設けられている。フック部８６は、規制部８２が固定される左右の側枠体８４ａ,８４ｂの前下端部を、後方へ湾曲させた後に上方に突出させて形成される。ガード部材８０は、上枠体８４ｃを棚受金５０の水平部５２に引き掛けることで貯蔵室１４に取り付けられるのは実施例１と同じである。そして、ガード部材８０は、フック部８６を棚網６０の左右方向に延在する棒状のストッパ６６に引っ掛けることで棚網６０に対して固定される。ガード部材８０は、フック部８６でストッパ６６を前後に挟むことで、前後に位置決めされる。
【００３２】
(実施例２の作用)
次に、実施例２について、実施例１と異なる作用について説明する。実施例２によれば、ガード部材８０の下部に設けたフック部８６で棚網６０のストッパ６６に固定されるので、別の部材を用いることなく、簡単な構成でガード部材８０のがたつきを抑え、振動や衝撃によりガード部材８０が外れるのを防止できる。また、ガード部材８０のフック部８６を棚網６０のストッパ６６に固定するので、棚網６０のストッパ６６およびガード部材８０が一体となって、被貯蔵物４６の後方への移動を規制できる。このため、被貯蔵物４６が冷気通路を塞ぐのを防止して、冷気循環不良を効果的に抑制できる。
【００３３】
(実施例３)
次に、図８を参照して、実施例３について説明する。この実施例３では、ガード部材９０の下部を固定する構成が実施例１と異なっている。なお、実施例３では、実施例１と相違する部分を中心に説明を行い、実施例１と同じ部分については、同一の符号を付して詳細な説明は省略する。
【００３４】
実施例３では、棚柱４２に取り付けた棚受金５０にガード部材９０の上部を引き掛けて懸吊した際に、ガード部材９０の下部が貯蔵室１４の後内壁３０ｂに対応する部位に磁石付きホルダ９６が設けられている。ホルダ９６は、合成樹脂からなり、平板状の基部９８の後面９８ａに前記磁石が設けられ、基部９８の前面に左右の下枠体９４ｄ,９４ｅが嵌合する半割り筒状の嵌合部９８ｂが設けられている。ガード部材９０は、上枠体９４ｃを棚受金５０の水平部５２に引き掛けて貯蔵室１４に取り付けられるのは実施例１と同じである。ガード部材９０は、ホルダ９６の磁石が前記貯蔵室１４の後内壁３０ｂに磁気吸着することで、下部が貯蔵室１４に固定される。
【００３５】
(実施例３の作用)
実施例３について、実施例１と異なる作用について説明する。実施例３では、ガード部材９０の左右の下枠体９４ｄ,９４ｅに設けたホルダ９６の磁石が貯蔵室１４の後内壁３０ｂに磁気吸着するので、上枠体９４ｃを棚受金５０の水平部５２に引き掛けて懸吊した状態で、ホルダ９６の後面９８ａを後内壁３０ｂに当接させるだけでガード部材９０の下部を固定でき、使い勝手がよい。なお、ホルダ９６は、後内壁３０ｂにおけるガード部材９０の左右の下枠体９４ｄ,９４ｅに対応する位置に吸着させておき、上枠体９４ｃを水平部５２に引き掛けて懸吊した状態で、左右の下枠体９４ｄ,９４ｅを勘合部９８ｂに勘合させて、ガード部材９０の下部を固定するように使用することもできる。
【００３６】
(実施例４)
次に、図９を参照して、実施例４について説明する。この実施例４では、ガード部材１００の構成および貯蔵室１４へのガード部材１００の取り付け構成が実施例１と異なっている。なお、実施例４では、実施例１と相違する部分を中心に説明し、実施例１と同じ部分については、同一の符号を付して詳細な説明は省略する。
【００３７】
ガード部材１００は、平板状部材に、前後方向に連通する複数の通気孔１０２ａを開設した規制部１０２を備える。また、規制部１０２を支持すると共に貯蔵室１４への取り付けに用いられる枠部１０４が、規制部１０２の左右の側端部(水平方向の両側)に連接されている。この枠部１０４は、棚柱４２に沿って上下方向に延在して該棚柱４２に重ねられる取付部１０４ａを備えている。このように、取付部１０４ａは、棚柱４２と対応する位置に設けられている。また、この取付部１０４ａには、棚柱４２の係止孔４４に対応する位置に取付孔１０４ｂが開設されている。すなわち、取付部１０４ａの取付孔１０４ｂは、棚柱４２の係止孔４４と等間隔で上下方向に離間して複数形成されている。実施例４のガード部材１００では、取付孔１０４ｂの形状も係止孔４４に合わせて形成されている。このガード部材１００の貯蔵室１４への取り付けについて説明する。ガード部材１００を、左右の取付部１０４ａを棚柱４２の前方を覆うように棚柱４２に重ねる。そして、棚柱４２の係止孔４４に重ねた取付孔１０４ｂに、棚受金５０の差し込み片５２ａ,５４ａを挿入し、係止孔４４の縁部に差し込み片５２ａ,５４ａを係合させる。このように、棚受金５０は、取付孔１０４ｂを介して棚柱４２に取り付けられる。これにより、ガード部材１００は、棚柱４２と棚受金５０とに取付部１０４ａが挟まれた状態で貯蔵室１４に取り付けられる。このように、実施例４では、ガード部材１００を重ねた棚柱４２に対して棚受金５０を装着することで、ガード部材１００が貯蔵室１４の後内壁３０ｂとの間に間隙４０を有して取り付けられる。
【００３８】
(実施例４の作用)
実施例４について、実施例４と異なる作用について説明する。実施例４によれば、取付孔１０４ｂを介して棚受金５０を棚柱４２に取り付けることで、ガード部材１００を貯蔵室１４に対して簡単に取り付けることができる。また、ガード部材１００の取り付けに新たな取付手段を設ける必要がなく、開発費用や製造コストを抑えることができる。また、ガード部材１００の規制部１０２を、通気孔１０２ａを設けた平板状部材としたので、被貯蔵物４６の後方への移動を平板状の規制部１０２により効果的に抑制できる。また、規制部１０２に通気孔１０２ａを設けたので、規制部１０２により貯蔵室１４の空気の流通が遮断されることはない。更に、ガード部材１００の上下方向に延在する取付部１０４ａが、棚柱４２に当接した状態となるので、ガード部材１００のがたつきが抑えられる。
【００３９】
(変更例)
本発明に係る冷却貯蔵庫としては前述した構成に限定されず、例えば以下のように変更することが可能である。
(１) 実施例では、ストッパを備える棚網を採用するが、ストッパのない棚網であってもよい。
(２) ガード部材は、受部材により貯蔵室に取り付ける構成であればよく、下部を固定しない構成であってもよい。
(３) ガード部材と貯蔵室の後内壁との間に冷気通路を確保する構成を例に挙げたが、ガード部材と貯蔵室の左内壁や右内壁との間に冷気通路を確保するような構成であってもよい。
【符号の説明】
【００４０】
１０ 冷却貯蔵庫，１４ 貯蔵室，４２ 棚柱，３２ 冷却器，４６ 被貯蔵物，
５０ 棚受金(棚受部)，６０ 棚網，７０ ガード部材，８０ ガード部材，
８６ フック部，９０ ガード部材，９６ ホルダ，１００ ガード部材，
１０４ａ 取付部，１０４ｂ 取付孔
【図１】
2015206563.tif 000003
【図２】
2015206563.tif 000004
【図３】
2015206563.tif 000005
【図４】
2015206563.tif 000006
【図５】
2015206563.tif 000007
【図６】
2015206563.tif 000008
【図７】
2015206563.tif 000009
【図８】
2015206563.tif 000010
【図９】
2015206563.tif 000011